(57)【要約】【課題】  本考案は冬季に、室外気温と室内気温の温度差により、室内の窓ガラスに付着した結露が集中し、窓ガラスを伝って下のサッシに溜まる結露水を、ヒーターやモーターなどを使用せず、簡易的な方法により、結露水を吸収することを目的とする。【解決手段】  樹脂網で作成した箱型のケース内に、乾燥した吸水性樹脂（香料や消臭剤をあらかじめ吸収させた）を入れて、窓ガラス下のサッシで結露水が溜まる部分に設置することにより、樹脂網のケースの網目に浸水した結露水が、乾燥した吸水性樹脂に吸収させる構成となっている。【選択図】図１
0003135306.tif 000002
【実用新案登録請求の範囲】
【請求項１】
吸水性敷き紙上に乾燥した粒状の吸水性樹脂を貼ったシートを箱型の樹脂網の内部に入れたことを特徴とする結露水吸収容器。
【請求項２】
箱型の樹脂網は、平織り網のメッシュ樹脂網を使用して、加熱処理または、接着剤で樹脂網を張り合わせ箱型の樹脂網を成形し、また、粒状の吸水性樹脂の散乱を防ぐ中蓋を設けたことを特徴とする請求項１記載の結露水吸収容器。
【請求項３】
粒状の吸水性樹脂に濃度の高い香料や消臭剤を含ませることにより、粒状の吸水性樹脂が結露水を吸収した時に、芳香、消臭機能を有することを特徴とする請求項１記載の結露水吸収容器。
【考案の詳細な説明】
【技術分野】
【０００１】  本考案は、冬季などに室内と室外の温度差によって、ガラス窓下のサッシに溜まる結露水を吸収する結露水吸収容器に関するものである。
【背景技術】
【０００２】  冬季、室外気温と室内気温の温度差により、室内の湿気を含んだ暖かい空気が、室内のガラス窓に付着することで、結露が発生して、結露が集まることにより、ガラス窓を伝ってガラス窓下のサッシに結露水が溜まる為、結露水の量によっては、サッシと木枠の目地に結露水が浸水し、木枠にカビの発生や木枠が腐ってしまう問題が生じる。
電気エネルギーを使ったファンやヒーターなどを使用した結露防止装置などがある。
結露水を吸収させる為の大掛かりな装置を取付けて結露水を除去する装置がある。そのため下記のような考案がされている。【０００３】
【特許文献１】実登３１０２０７６公報
【特許文献２】特開２００４−０１１１８９公報
【特許文献３】特開平０８−１４４６５６号公報
【特許文献４】特開２００４−１４３４４３号公報
【特許文献５】特開平０７−０２０７７５号公報
【特許文献６】実全平０３−０８０８８５号公報
【考案の開示】
【考案が解決しようとする課題】
【０００４】  本考案は、ガラス窓下のサッシに溜まった結露水を除去することを目的とする。【０００５】  電気エネルギーを使ったファンやヒーターなどで、結露防止を行うと維持コストが必要となる。【０００６】  結露水を吸収させる為の大掛かりな装置を取付けて行う際、ガラス窓やサッシの形状の違いによって、装置の変更が必要になる。また、装置の取付けや収納の際、大掛かりな装置だと、取付けや収納作業が面倒である。
【課題を解決するための手段】
【０００７】  請求項１の考案は、吸水性敷き紙上に乾燥した粒状の吸水性樹脂を貼ったシートを箱型の樹脂網の内部に入れたことを特徴とする結露水吸収容器である。これは電気エネルギーを使用せずに、乾燥した粒状の吸水性樹脂により結露水を吸収します。【０００８】  請求項２の考案は、箱型の樹脂網は、平織り網のメッシュ樹脂網を使用して、加熱処理または、接着剤で樹脂網を張り合わせ箱型の樹脂網を成形し、また、粒状の吸水性樹脂の散乱を防ぐ中蓋を設けたことを特徴とする請求項１の結露水吸収容器である。これはガラス窓のサッシ下に溜まった結露水を、メッシュ樹脂網に通して内部の乾燥した粒状の吸水性樹脂より結露水を吸収します。【０００９】  請求項３の考案は、粒状の吸水性樹脂に濃度の高い香料や消臭剤を含ませることにより、粒状の吸水性樹脂が結露水を吸収した時に、芳香、消臭機能を有することを特徴とする請求項１の結露水吸収容器である。これは乾燥した粒状の吸水性樹脂が水を吸収し蒸発をすることにより、香料や消臭剤を発散させて、芳香、消臭がされます。【００１０】  １の露水吸収容器内部に５の乾燥した粒状の吸水性樹脂を入れる時、１の結露水吸収容器の底に、密着した状態で、粒状の吸水性樹脂を設置しないと、結露水を１の結露水吸収容器の底から吸収することが出来ない為、４の吸水性敷き紙上に５の粒状の吸水性樹脂を付着したシートを入れた１の結露水吸収容器を使用します。
【考案の効果】
【００１１】  １の結露水吸収容器内部に入れてある５の乾燥した粒状の吸収性樹脂が、溜まった結露水を吸収する為、１０のガラス窓下のサッシ部分から、結露水が溢れてサッシに隣接する木材に染込むことが無くなります。【００１２】  ５の乾燥した粒状の吸収性樹脂に濃度の高い香料や消臭剤を配合することにより、芳香と消臭効果が得られます。
【考案を実施するための最良の形態】
【００１３】  図３のように１０のガラス窓下のサッシで結露が溜まりやすい場所に、１の結露水吸収容器を設置します。【００１４】  １０のガラス窓下のサッシ部分に、１の結露水吸収容器を配置する為、容器の大きさはガラス窓の大きさによって異なりますが、ガラス窓が縦２ｍ×横１ｍ場合だと、容器の大きさは、縦２０ｍｍ×横１００ｍｍ×奥１８ｍｍ程度の１結露水吸収容器を使用します。【００１５】  １の結露水吸収容器に使用される樹脂網は、５の乾燥した粒状の吸水性樹脂の大きさが約１．０ｍｍ以下の樹脂網を使用します。【００１６】  １の結露水吸収容器の角面角度は、過熱処理でほぼ９０度の角度にして、箱型の形状を整えることにより、１０のガラス窓下のサッシ上に１の結露水吸収容器を配置した際、ガラス窓の壁面とサッシの底面に限りなく密着することが出来ます。【００１７】  １の結露水吸収容器に入れる５の乾燥した粒状の吸水性樹脂は、４の吸水性敷き紙上に付着させて、図１のように１の結露水吸収容器の底に密着するように配置させます。【００１８】  図１のように２の結露水吸収容器の外蓋より、６の中蓋を設置して容器の形状を保持するとともに、５の粒状の吸水性樹脂の散乱を防止します。【００１９】  １の結露水吸収容器は、結露水が溜まる箇所に１の結露水吸収容器を配置して、結露水が溜まり出すと、１の結露水吸収容器の底面より、結露水を吸収する１の結露水吸収容器。
【実施例】
【００２０】  実施例１、図４のように１０のガラス窓下のサッシで結露が溜まりやすい場所に、１の結露水吸収容器を設置します。【００２１】  実施例２、図５のように７の結露集積シートを９の結露水吸収容器専用クリップで１の結露水吸収容器に固定して、８の結露水誘導バーを使用することにより、１の結露水吸収容器の上下から結露水を吸収します。
【産業上の利用可能性】
【００２２】  本考案は、住環境を改善に役立つ。
【図面の簡単な説明】
【００２３】
【図１】結露水吸収容器の斜視図
【図２】結露水吸収容器の正面側の断面図
【図３】結露水吸収容器の側面側の断面図
【図４】実施例１の結露水吸収容器の斜視図
【図５】実施例２の結露水吸収容器の斜視図
【符号の説明】
【００２４】  １  結露水吸収容器（箱型の樹脂網）
２  結露水吸収容器の外蓋
３  ガラス窓
４  吸水性敷き紙
５  乾燥した粒状の吸水性樹脂
６  中蓋（プラスティックと樹脂網）
７  結露水集積シート（ポリエステルフィルム）
８  結露水の誘導バー（ポリスチレン）
９  結露水吸収容器専用クリップ
１０  ガラス窓下のサッシ
【図１】
0003135306.tif 000003
【図２】
0003135306.tif 000004
【図３】
0003135306.tif 000005
【図４】
0003135306.tif 000006
【図５】
0003135306.tif 000007